(57)【要約】【課題】高齢者や障害者、寝たきり患者に使用する際、口腔の開き方が不十分であったとしても口腔内を清掃や治療或いは口腔内体液等の除去ができるし、口腔から咽頭まで挿入して清掃することができる口腔用清掃具を提供する。【解決手段】棒状体１１の先端部１１ａにスポンジ体１２ａを固定した口腔用清掃具１０であり、スポンジ体１２が硬度の異なる第１と第２の板状スポンジ体１２ａ，１２ｂによる二層構造であり、スポンジ体１２の先端部１２ａを舌片形状としたものである。【選択図】  図１
0003124504.tif 000002
【実用新案登録請求の範囲】
【請求項１】
棒状体の先端部にスポンジ体を固定した口腔用清掃具において、
前記スポンジ体が硬度の異なる第１と第２の板状スポンジ体による二層構造であり、前記スポンジ体の先端部を舌片形状としたことを特徴とする口腔用清掃具。
【請求項２】
前記棒状体の先端部が偏平形状であり、該先端部が第１の板状スポンジ体に差し込まれて接着されているか、又は該先端部が前記第１と第２の板状スポンジ体に接着挟持されていることを特徴とする請求項１に記載の口腔用清掃具。
【請求項３】
前記棒状体の先端部に貫通穴が設けられ、該先端部に接着剤が塗布されるとともに該貫通穴を通して接着剤が前記第１の板状スポンジ体を接着するか、又は該接着剤が該貫通穴を通して前記第１と第２の板状スポンジ体を固着することを特徴とする請求項１又は２に記載の口腔用清掃具。
【請求項４】
前記第１の板状スポンジ体に前記棒状体の軸に対して直交方向に切込みを複数設けたことを特徴とする請求項１〜３の何れかに記載の口腔用清掃具。
【請求項５】
前記スポンジ体から突出する前記棒状体の略中央に拡幅部を設けたことを特徴とする請求項１〜４の何れかに記載の口腔用清掃具。
【考案の詳細な説明】
【技術分野】
【０００１】
本考案は、高齢者や障害者、寝たきりの患者の口腔内の唾液、痰、食物屑の除去清掃などの介護用、或いは歯科や口腔外科等における口腔内清掃や薬剤塗布等の治療用に用いられる口腔用清掃具に関する。
【背景技術】
【０００２】
従来の口腔用清掃具は、棒状体の先端に脱脂綿を丸棒状としたものが普通であり、このような口腔用清掃具では、先端を口腔内清掃部位や患部に接触されて唾液、痰、食物屑の口腔内を清掃するのであるが、棒状体を持つ持ち手に安定感がなく、清掃時に分泌される唾液によって、先端部が滑りやすくなり、棒状体を指先に力を入れて持っても固定し難く、先端が回転し易いといった問題点があった。また、先端が丸棒状のものでは、安定し難いことから棒先が粘液で滑って口腔内に突き当たるおそれもあり、清掃時の苦痛を与えるといった問題があった。このような問題を解消すべく、持ち手に安定感を与える形状とし、先端部が立方体形状としたスポンジ体がある。さらに、口腔用清掃具の先端部が棒状体から抜け落ち易いといった問題点があった。
【０００３】
また、従来の口腔用清掃具には、図４（ａ），（ｂ）に示すように、ステック（棒状体）２の一端に弾性多孔質体４，５を設けたものがある。図４（ａ）の口腔用清掃具１は、ステック２の一端部３に、メントール系の芳香を有しポリウレタンホーム等からなる断面がクローバ型の形状の弾性多孔質体（スポンジ）３が設けられている。また、図４（ｂ）の口腔用清掃具１′は、ステック２の一端部３に、メントール系の芳香を有しポリウレタンホーム等からなる断面円形の弾性多孔質体５が設けられ、弾性多孔質体（スポンジ）５に切込み５１  が軸方向に形成されている。これらの口腔用清掃具１，１′は、患者の口腔内に挿入し、歯茎や口腔内の患部に弾性多孔質体３，５の外周面を当接し、ステック２を回転させることによって、この弾性多孔質体３，５を軸回りに回転させて口腔内の血液や唾液を吸収或いは吸着し、口腔外に除去するものである（例えば、特許文献１参照）。
【０００４】
【特許文献１】特開２００２−３３６２７９号（明細書全文，図面全図）
【考案の開示】
【考案が解決しようとする課題】
【０００５】
しかしながら、図４に示す口腔用清掃具では、口腔や舌などに付着する唾液、痰、食物屑或いは舌苔を、口腔用清掃具の先端部を前後に移動させて除去しようとすると、弾性多孔質体の接触面が曲面であるために口腔内との接触部位が狭く、除去効率が良好ではなく、殊に、高齢者や障害者、寝たきり患者に使用する場合、健常者と比較して口の開き方が不十分であることが多く、口腔から食道に至る咽頭が狭窄状態になり易く、弾性多孔質体（スポンジ）を前後に移動するのが困難であり、勿論回転させて清掃等を行うことも難しく、従来の口腔用清掃具には改善の余地があった。また、口腔内が狭窄状態のまま口腔用清掃具を無理に口腔内部に挿入し回転又は前後に移動すると、弾性多孔質体がステックから抜け落ちるおそれもあった。また、口腔内の汚れには、舌苔のようにある程度の摩擦で擦るように掻き出す必要があり、従来の口腔用清掃具では不十分な面があり、改善の余地があった。
【０００６】
本考案は、上述のような課題に鑑みなされたものであって、高齢者や障害者、寝たきり患者に使用する際、口腔の開き方が不十分であったとしても口腔内を清掃や治療或いは口腔内体液等の除去ができるし、口腔から咽頭まで挿入して清掃することができる口腔用清掃具を提供することを目的とする。
【課題を解決するための手段】
【０００７】
本考案は、上記課題を達成したものであって、請求項１の考案は、棒状体の先端部にスポンジ体を固定した口腔用清掃具において、
前記スポンジ体が硬度の異なる第１と第２の板状スポンジ体による二層構造であり、前記スポンジ体の先端部を舌片形状としたことを特徴とする口腔用清掃具である。
【０００８】
また、請求項２の考案は、前記棒状体の先端部が偏平形状であり、該先端部が第１の板状スポンジ体に差し込まれて接着されているか、又は該先端部が前記第１と第２の板状スポンジ体に接着挟持されていることを特徴とする請求項１に記載の口腔用清掃具である。
【０００９】
また、請求項３の考案は、前記棒状体の先端部に貫通穴が設けられ、該先端部に接着剤が塗布されるとともに該貫通穴を通して接着剤が前記第１の板状スポンジ体を接着するか、又は該接着剤が該貫通穴を通して前記第１と第２の板状スポンジ体を固着することを特徴とする請求項１又は２に記載の口腔用清掃具である。
【００１０】
また、請求項４の考案は、前記第１の板状スポンジ体に前記棒状体の軸に対して直交方向に切込みを複数設けたことを特徴とする請求項１〜３の何れかに記載の口腔用清掃具である。
【００１１】
また、請求項５の考案は、前記スポンジ体から突出する前記棒状体の略中央に拡幅部を設けたことを特徴とする請求項１〜４の何れかに記載の口腔用清掃具である。
【考案の効果】
【００１２】
請求項１の考案では、棒状体の先端部にスポンジ体を固定した口腔用清掃具において、
前記スポンジ体が硬度の異なる第１と第２の板状スポンジ体による二層構造であり、前記スポンジ体の先端部を舌片形状としたことを特徴とする口腔用清掃具であるので、第１又は第２の板状スポンジ体の接触面が平面であり、この平面が口腔内や舌の清掃部位に接触するために棒状体を持つ持ち手が安定し、口腔及び舌表面の清掃が容易になる利点があり、持ち手が安定することから先端部が滑って咽頭部等に突き当たるといったおそれを解消することができる。また、スポンジ体の先端が湾曲した舌片形状であるので、口腔内にスムーズに挿入することができ、患者や被介護者に苦痛を与えることなく、口腔内の奥まで清掃することができる利点がある。
【００１３】
また、本考案の口腔用清掃具はスポンジ体の両面の硬度が異なるので、口腔内の状態に応じて両面の何れかを選択して清掃することができる利点があり、舌苔などのように強固に付着する汚れを硬度の硬い第２の板状スポンジ体で擦ることによって清掃できるし、仕上げに硬度の柔らかい第１の板状スポンジ体に汚れを付着させて清掃することができる。また、スポンジ体は棒状体で軽く第１の板状スポンジ体を押すように挿入すれば簡単に収縮してスポンジ体が偏平形状となり、口の開き方が狭い場合であっても奥まで挿入して清掃することができる利点がある。さらに、本考案の口腔用清掃具は清掃のみならず、スポンジ体に薬剤を染みこませて患部に塗布することも可能である。
【００１４】
また、請求項２の考案では、前記棒状体の先端部が偏平形状であり、該先端部が第１の板状スポンジ体に差し込まれて接着されているか、又は該先端部が前記第１と第２の板状スポンジ体に接着挟持されていることを特徴とする請求項１に記載の口腔用清掃具であるので、棒状体の偏平形状の先端部がスポンジ体と強固に接着され、スポンジ体が先端部から簡単に抜け落ちることがなく、また、偏平形状の先端部を通してスポンジ体に力が加わり、棒状体の持ち手が安定するとともにスポンジ体が口腔内接触部に清掃に必要な力が加わり安定する利点がある。
【００１５】
また、請求項３の考案では、前記棒状体の先端部に貫通穴が設けられ、該先端部に接着剤が塗布されるとともに該貫通穴を通して接着剤が前記第１の板状スポンジ体を接着するか、又は該接着剤が該貫通穴を通して前記第１と第２の板状スポンジ体を固着することを特徴とする請求項１又は２に記載の口腔用清掃具であるので、棒状体の偏平形状の先端部が板状スポンジ体と強固に接着され、清掃時に簡単にスポンジ体が抜け落ちることがなく、患者や被介護者に苦痛を与えることがない利点がある。
【００１６】
また、請求項４の考案では、前記第１の板状スポンジ体に前記棒状体の軸に対して直交方向に切込みを複数設けたことを特徴とする請求項１〜３の何れかに記載の口腔用清掃具であるので、口腔及び舌表面の汚れを第１の板状スポンジ体に設けた切込みを利用し、スポンジ体を前後に移動させることで掻き出して清掃することができる利点がある。
【００１７】
また、請求項５の考案では、前記スポンジ体から突出する前記棒状体の略中央に幅広部を設けたことを特徴とする請求項１〜４の何れかに記載の口腔用清掃具であるので、棒状体の略中央の拡幅部を指を掛けて持ち手が安定に支持でき、指で棒状体を軽く押すことによって、口腔内に接触したスポンジ体に力が加われ、スポンジ体が偏平になり、口の開きが悪い場合であっても挿入が容易であるとともに口腔内が見やすくなり、清掃が容易になる利点がある。
【考案を実施するための最良の形態】
【００１８】
以下、本考案に係る口腔用清掃具の実施形態について図面を参照し説明する。なお、図１（ａ），（ｂ）は本考案に係る口腔用清掃具の一実施形態の外観を示し、同図（ａ）がその正面図であり、同図（ｂ）がその斜視図である。図２（ａ）〜（ｃ）は本実施形態の口腔用清掃具のスポンジ体を示し、同図（ａ）がその正面図、同図（ｂ）がその側面図、同図（ｃ）が持ち手部である棒状体をスポンジ体に取付けた側面図である。図３は本実施形態の棒状体の正面図である。
【００１９】
本実施形態は、図１に示すように、口腔用清掃具１０が棒状体１１の先端部１１ａにスポンジ体１２を固定したものであり、スポンジ体１２は弾力性又は硬度の異なる第１と第２の板状スポンジ体１２ａ，１２ｂによる二層構造であり、スポンジ体１２の先端部１２ｃは舌片形状を呈している。第１の板状スポンジ体１２ａの硬度は、第２の板状スポンジ体１２ｂの硬度より弾力性に富んだ材質が使用されている。スポンジ体１２には、第１の板状スポンジ体１２ａに棒状体１１の軸に対して直交方向に切込み１２１  〜１２４  が複数設けられている。
【００２０】
棒状体１１は、その先端部１１ａが偏平形状であり、その先端部１１ａが第１の板状スポンジ体１２ａに差し込まれて接着剤により接着され、棒状体１１の略中央に拡幅部１１ｂが設けられている。先端部１１ａには貫通穴１１ｃが二箇所設けられ、先端部１１ａが第１の板状スポンジ体１２ａに接着される際に貫通穴１１ｃを通して第１の板状スポンジ体１２ａが接着され、先端部１１ａは第１の板状スポンジ体１２ａに強固に接着される。また、図示していないが、先端部１１ａは、第１と第２の板状スポンジ体１２ａ，１２ｂに挟持されるように接着してもよい。また、棒状体１１の材質は耐久性に富む合成樹脂製又は木製等が用いられる。
【００２１】
スポンジ体１２について、図２（ａ）〜（ｃ）を参照して詳細に説明すると、例えば、スポンジ体１２の幅ａが１５ｍｍ、長さｂが２５ｍｍであり、第１の板状スポンジ体１２ａの奥行きｅが１０ｍｍ、第２の板状スポンジ体１２ｂの奥行きｆが５ｍｍであり、合わせた奥行きｃは１５ｍｍである。なお、スポンジ体１２は偏平形状の方が好ましく、奥行きｃが１５ｍｍである必要はなく、１３ｍｍ前後であってもよい。このような寸法に設定することによって、口の開き方が小さい場合でも口腔内に容易に挿入できる口腔用清掃具とすることができる。また、第１の板状スポンジ体１２ａに形成された切込み１２１  〜１２４  の間隔ｂ１は５ｍｍであり、切込み１２１  〜１２４  の深さｄは３ｍｍであるが、概ね深さｄは２ｍｍ〜３ｍｍの範囲に設定すればよい。切込み１２１  〜１２４  はスポンジ体１２の接触面から内部に向かうに連れて先端部側に傾斜しており、汚れを掻き出すのに好ましい形状となっている。
【００２２】
また、第１の板状スポンジ体１２ａは、第２の板状スポンジ体１２ｂより弾力性に富んだ材質が選択され、例えば、スポンジ体を形成する気泡の直径が第１の板状スポンジ体１２ａより第２の板状スポンジ体１２ｂの方が大きな材質としたり、または、第２の板状スポンジ体１２ｂは、第１の板状スポンジ体１２ａとは異なり、セルロース材質を混入して硬質としたスポンジであってもよい。なお、第１の板状スポンジ体１２ａは、第２の板状スポンジ体１２ｂより弾力性に富むのであれば、何れの合成樹脂製のスポンジであってもよい。
【００２３】
また、スポンジ体１２は先端部１２ｃが湾曲した舌片形状であり、先端部１２ｃが先端ほど幅が狭くなっており、スポンジ体１２は口腔内奥の咽頭にまで達して接触させて清掃をすることが可能である。また、第１の板状スポンジ体１２ａは、その接触面を舌に接触させて口腔内に挿入して清掃する際、切込み１２１  〜１２４  で区画された第１の板状スポンジ体１２ａの各スポンジが軽く押されることにより潰れ、スポンジ体１２は偏平形状となり、高齢者などのように口の開き方が悪い場合であってもスポンジ体１２を口腔内に挿入することができるし、引き出す際は、各切込み１２１  〜１２４  が舌に付着する舌苔などの汚れを掻き出すのに有効である。
【００２４】
さらに、図２（ｃ）には、棒状体１１の先端部１１ａの接着位置が示されている。先端部１１ａはスポンジ体１２の略中央の第１の板状スポンジ体１２ａに接着固定されており、スポンジ体１２の切込み１２１  〜１２４  が形成された接触面を舌に接触させ、棒状体１１で軽く押すことで、先端部１１ａから下の第１の板状スポンジ体１２ａが潰れてスポンジ体１２が偏平になり易く、口腔内が見易くなって口腔内に挿入し易く、清掃が容易となる。また、先端部１１ａは、第１と第２の板状スポンジ体１２ａ，１２ｂの接着面に接着してもよく、棒状体１１で軽く押すことで、比較的硬い第２の板状スポンジ体１２ｂに支持された第１の板状スポンジ体１２ａが潰れてスポンジ体１２がより偏平形状になり、清掃が容易になる。
【００２５】
次に、棒状体１１について図３を参照し説明すると、例えば、棒状体１１はその全長ａが１６５ｍｍであり、棒状体１１の後端側寸法ａ１  が６０ｍｍ，拡幅部１１ｂの寸法ａ２  が７０ｍｍ、先端側寸法ａ３  が３５ｍｍであり、拡幅部１１ｂの最大寸法ｈは１０ｍｍである。棒状体１１の幅ｇは５ｍｍであり、偏平形状の先端部１１ａの幅ｂが１０ｍｍであり、その長さｃが２０ｍｍであり、先端部１１ａの後端部側から貫通穴１１ｃの中心までの寸法ｄが８ｍｍ、貫通穴１１ｃ間の寸法ｅが７ｍｍ、貫通穴１１ｃから先端までの寸法ｆが５ｍｍである。貫通穴１１ｃの直径は３ｍｍの円形であるが、長穴であってもよい。また、拡幅部１１ｂは棒状であってもよいが、指が支持できるような厚みを有する平板形状であってもよい。
【００２６】
上述のように本考案は、スポンジ体を構成する第１又は第２の板状スポンジ体の接触平面を口腔内や舌の清掃部位に接触させて清掃するものであり、スポンジ体の平たい接触面が清掃部位に接触し、棒状体を持つ持ち手が安定し、スポンジ体を前後に移動させて口腔内を清掃することができるし、スポンジ体は幅が１５ｍｍ程度であるので回転させることも容易であり、高齢者や障害者、寝たきりの患者の口腔内の唾液、痰、食物屑の除去清掃などの介護用、或いは歯科や口腔外科等における口腔内清掃や薬剤塗布等の治療用に用いることができる。
【００２７】
また、棒状体の先端部は偏平な平板状であり、先端部がスポンジ体内部に固着されており、スポンジ体が口腔内の粘液により滑るおそれは少ないが、例え滑ったとしても棒状体の先端部が口腔内や咽頭部に突き当たるといったおそれがないし、スポンジ体の先端が湾曲した舌片形状であり、接触圧が緩和され患者や被介護者に苦痛を与えることなく、口腔内にスムーズに挿入して咽頭部の汚れまで清掃することができる。
【００２８】
また、本考案の口腔用清掃具はスポンジ体の両面の硬度が異なり、口腔内の状態に応じて両面の何れかを選択して清掃することができ、舌苔などのように強固に付着する汚れを硬度の硬い第２の板状スポンジ体で擦るようにして清掃することができるし、硬度の柔らかい第１の板状スポンジ体に汚れを付着させて清掃することができる。また、先端部は棒状体で第１の板状スポンジ体を軽く押すように挿入すれば簡単に収縮してスポンジ体が偏平形状となり、口の開き方が悪い場合であっても奥まで挿入して清掃することができる。
【００２９】
また、棒状体の先端部が偏平形状であり、棒状体の先端部が第１の板状スポンジ体に差し込まれて固着されているか、又は第１と第２の板状スポンジ体に棒状体の先端部が挟持されて固着されており、スポンジ体が簡単に抜け落ちることがなく、また、清掃時、棒状体の偏平形状の先端部を通して口腔内の接触部に力が加わり、先端部が安定するとともに棒状体の持ち手が安定し、清掃が容易である。
【００３０】
また、棒状体の先端部には貫通穴が設けられ、該棒状体に接着剤を塗布し、該貫通穴を通して接着剤が第１の板状スポンジ体を接着するか、又は第１と第２の板状スポンジ体同士を固着することで、棒状体の偏平形状の先端部が板状スポンジ体と強固に接着され、先端部が棒状体から簡単に抜け落ちることがなく、患者や被介護者に苦痛を与えることがない。また、棒状体の略中央が幅広部であり、この拡幅部を指で軽く押すことによって、口腔内に接触したスポンジ体に力が容易に加われ、スポンジ体が偏平になり、棒状体を持つ持ち手が安定し清掃が容易になる。
【００３１】
また、スポンジ体の前記第１のスポンジ体には、棒状体の軸に対して直交方向に切込みを複数設けられており、スポンジ体を前後に移動させて切込みにより粘着力の強い汚れを掻き出すように清掃することができ、狭い口腔内を清掃するのに有効である。
【産業上の利用可能性】
【００３２】
本考案の活用例としては、高齢者や障害者、寝たきりの患者の口腔内の唾液、痰、食物屑の除去清掃などの介護用、或いは歯科や口腔外科等における口腔内清掃や薬剤塗布等の治療用の口腔用清掃具として利用することができる。
【図面の簡単な説明】
【００３３】
【図１】（ａ）は本考案の一実施形態の正面図、（ｂ）はその斜視図である。
【図２】（ａ）は本実施形態のスポンジ体の正面図、（ｂ）はその側面図、（ｃ）はスポンジ体に棒状体は固着された側面図である。
【図３】本実施形態の棒状体の正面図である。
【図４】（ａ）は従来の口腔用清掃具の従来例であり、（ｂ）は他の従来例である。
【符号の説明】
【００３４】
１０  口腔用清掃具
１１  棒状体
１１ａ  先端部
１１ｂ  拡幅部
１１ｃ  貫通穴
１２  スポンジ体
１２ａ  第１の板状スポンジ体
１２ｂ  第２の板状スポンジ体
１２ｃ  先端部
１２１  〜１２４    切込み
【図１】
0003124504.tif 000003
【図２】
0003124504.tif 000004
【図３】
0003124504.tif 000005
【図４】
0003124504.tif 000006